【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
１以上のタイプの歯を有するユーザの口腔内に装着される歯科器具であって、
前記歯と接触する平坦な咬合面を有し、予め形成された略Ｕ字形状の基部と、
前記咬合面から延伸し、内部表面を画定する第１の壁部と、
前記咬合面から延伸し、外部表面を画定する第２の壁部と、
前記基部上に設けられ、前記第１の壁部と前記第２の壁部との間に位置し、前記基部の第１の部分から第２の部分まで延伸するスロットと、を備え、
前記スロットが前記咬合面の幅を画定し、該幅は、前記基部が前記口腔内の前部と接触する前記基部の前記第１の部分から前記口腔内でさらに後方に延伸する前記第２の部分まで広がるよう構成され、前記第２の部分は前記ユーザの犬歯タイプの歯を収容することを特徴とする歯科器具。
【請求項２】
前記第１の部分は、切歯タイプの歯に接触する請求項１に記載の歯科器具。
【請求項３】
前記第２の部分は、犬歯タイプの歯に接触する請求項１に記載の歯科器具。
【請求項４】
前記内部表面内に形成され、前記ユーザの口腔内の後方に延伸する舌タブをさらに備える請求項１に記載の歯科器具。
【請求項５】
前記基部は、水分吸収材料から構成される請求項１に記載の歯科器具。
【請求項６】
前記基部は、第１の材料と第２の材料から構成され、該第１の材料が該第２の材料よりも柔らかい請求項１に記載の歯科器具。
【請求項７】
前記基部に形成された吸盤をさらに備える請求項１に記載の歯科器具。
【請求項８】
犬歯を含む１以上のタイプの歯を有するユーザの口腔内に装着される歯科器具であって、
装着時に前記歯に接触する咬合面を有する略Ｕ字形状の基部と、
前記咬合面内に形成され、それぞれが犬歯に向けて延伸し、前記犬歯に接触することにより前記犬歯を動かして、前記口腔内の不正咬合を防止する頂部を形成するウェッジと、
を備えることを特徴とする歯科器具。
【請求項９】
前記Ｕ字形状の基部に取り付けられ、咬合面を有する第２の基部をさらに備える請求項８に記載の歯科器具。
【請求項１０】
犬歯ではない第２のタイプの歯を収容するように形成された１以上のソケットをさらに備える請求項８に記載の歯科器具。
【請求項１１】
前記Ｕ字形状の基部は、第２のタイプの歯と接触する第２の領域よりも第１のタイプの歯と接触する第１の領域が厚い請求項８に記載の歯科器具。
【請求項１２】
前記Ｕ字形状の基部内に埋め込まれたワイヤをさらに備える請求項８に記載の歯科器具。
【請求項１３】
前記Ｕ字形状の基部は、前記歯の少なくとも１本に接触するが、すべての歯には接触しない大きさである請求項８に記載の歯科器具。
【請求項１４】
複数の歯を有するユーザの口腔内に装着される歯科器具であって、
略Ｕ字形状の基部と、
前記基部内に設けられ、少なくとも一つが予め形成された複数のソケットと、
前記口腔に接触し、前記基部が前記口腔内に装着された際に、前記基部の移動を防止するよう前記口腔に密着する凹面を有し、前記基部から延伸する吸盤と、
を備えることを特徴とする歯科器具。
【請求項１５】
前記吸盤は、前記基部に取り外し可能に取り付けられる請求項１４に記載の歯科器具。
【請求項１６】
前記複数のソケットは予め形成されたものである請求項１４に記載の歯科器具。
【請求項１７】
前記複数のソケットの少なくとも一つはカスタマイズされている請求項１４に記載の歯科器具。
【請求項１８】
前記基部上に形成され、前記ユーザの歯に接触するウェッジをさらに備える請求項１４に記載の歯科器具。
【請求項１９】
前記複数のソケットは平坦である請求項１４に記載の歯科器具。
【請求項２０】
前記基部が前記口腔内で移動するのを防止するように、前記口腔に接触する表面を有し、前記基部上に設けられたライナをさらに備える請求項１４に記載の歯科器具。
【請求項２１】
不正咬合を治療するために、ユーザによって継続的に使用される複数の歯科器具であって、
前記ユーザの歯に接触する平坦な咬合面を有する略Ｕ字形状の基部を備える第１の器具と、
前記ユーザの歯に接触する平坦な咬合面を有する略Ｕ字形状の基部を備える第２の器具と、を備え、
前記第２の器具は前記第１の器具よりも大きいことを特徴とする歯科器具。
【請求項２２】
前記第１の器具は第１のタイプの歯列を矯正するための大きさを有し、前記第２の器具は第２のタイプの歯列を矯正するための大きさを有し、該第１のタイプの歯列と該第２のタイプの歯列は異なるものである請求項２１に記載の歯科器具。
【請求項２３】
前記第１の器具は予め形成されたものである請求項２１に記載の歯科器具。
【請求項２４】
前記第１の器具はカスタマイズされている請求項２１に記載の歯科器具。
【請求項２５】
前記第１の器具はステレオリソグラフィによって作成される請求項２１に記載の歯科器具。
【請求項２６】
前記第１の器具はデジタルモデルから作成される請求項２１に記載の歯科器具。
【請求項２７】
ユーザの歯列が変化するのに伴い、不正咬合を治療するために、ユーザによって継続的に使用される複数の歯科器具であって、
前記ユーザの歯に接触する平坦な咬合面を有する略Ｕ字形状の基部を備える第１の器具と、
前記ユーザの歯に接触する平坦な咬合面を有する略Ｕ字形状の基部を備える第２の器具と、を備え、
前記第１の器具は第１のタイプの歯列を矯正するための大きさを有し、前記第２の器具は第２のタイプの歯列を矯正するための大きさを有し、該第１のタイプの歯列と該第２のタイプの歯列は異なることを特徴とする歯科器具。
【請求項２８】
前記第１のタイプの歯列は乳歯列である請求項２７に記載の歯科器具。
【請求項２９】
前記第１のタイプの歯列は混合歯列である請求項２７に記載の歯科器具。
【請求項３０】
前記第１のタイプの歯列は永久歯列である請求項２７に記載の歯科器具。
【請求項３１】
前記第１の器具の前記咬合面は、少なくとも一つのソケットを有する請求項２７に記載の歯科器具。
【請求項３２】
前記第１の器具は予め形成されたものである請求項２７に記載の歯科器具。
【請求項３３】
前記第１の器具はカスタマイズされている請求項２７に記載の歯科器具。
【請求項３４】
前記第１の器具内に埋め込まれたワイヤをさらに備える請求項２７に記載の歯科器具。
【請求項３５】
ユーザの口腔内に装着される歯科器具であって、
前記歯と接触する咬合面を有する略Ｕ字形状の基部と、
前記咬合面から延伸し、内部表面を画定する第１の壁部と、
前記咬合面から延伸し、外部表面を画定する第２の壁部と、
前記第２の壁部の上面から延伸し前記歯と接触する前記基部内に埋め込まれたワイヤと、を備え、
前記第１の壁部と前記第２の壁部が前記咬合面の幅を画定することを特徴とする歯科器具。
【請求項３６】
前記咬合面内に形成され、第１のサイズを有する第１のソケットと、前記咬合面内に形成され、第２のサイズを有する第２のソケットと、をさらに備え、前記第１のサイズと前記第２のサイズは異なっている請求項３５に記載の歯科器具。
【請求項３７】
前記第２の壁部から延伸し、前記歯を覆う唇シールドをさらに備える請求項３５に記載の歯科器具。
【請求項３８】
前記第１の壁部から前記口腔まで延伸する舌タブをさらに備える請求項３５に記載の歯科器具。
【請求項３９】
前記咬合面は平坦である請求項３５に記載の歯科器具。
【請求項４０】
前記咬合面から延伸する吸盤をさらに備える請求項３５に記載の歯科器具。
【請求項４１】
前記咬合面上にリライン材料をさらに備える請求項３５に記載の歯科器具。
【請求項４２】
前記基部は、第１の材料と第２の材料から構成され、該第１の材料が該第２の材料よりも柔らかい請求項３５に記載の歯科器具。
【請求項４３】
前記外部表面上に形成された縦スリットをさらに備える請求項３５に記載の歯科器具。
【請求項４４】
１以上のタイプの歯を有するユーザの口腔内に装着される歯科器具であって、
前記歯と接触する平坦な咬合面を有する略Ｕ字形状の基部と、
前記咬合面内に形成され、歯の解剖学的基準に基づいた形状の少なくとも一つのソケットと、を備えることを特徴とする歯科器具。
【請求項４５】
前記ソケットは、２以上の歯を収容する大きさを有する請求項４４に記載の歯科器具。
【請求項４６】
前記ソケットは、一つの歯を収容する大きさを有する請求項４４に記載の歯科器具。
【請求項４７】
前記基部から延伸し、前記基部が装着された際に前記口腔の後方まで延伸する舌タブをさらに備える請求項４４に記載の歯科器具。
【請求項４８】
前記平坦な咬合面は、２以上の歯を収容する大きさを有する請求項４４に記載の歯科器具。
【請求項４９】
前記基部内に埋め込まれたワイヤをさらに備える請求項４４に記載の歯科器具。
【請求項５０】
前記基部上に形成され、前記基部と前記歯とを密着させるライナをさらに備える請求項４４に記載の歯科器具。
【請求項５１】
前記第２の壁部から延伸し、前記歯を覆う唇シールドをさらに備える請求項３５に記載の歯科器具。
【請求項５２】
患者の歯科矯正の状態を診断するための方法であって、
前記患者の口腔内における１以上の歯の位置を分析するための分析手段を前記患者に提供するステップと、
前記患者が前記１以上の歯の前記位置と比較する歯配列を表示するステップと、を有する方法。
【請求項５３】
前記患者が前記１以上の歯の前記位置を比較した後で前記患者に歯科器具を渡すステップをさらに有する請求項５２に記載の方法。
【請求項５４】
前記分析手段は定規である請求項５２に記載の方法。
【請求項５５】
前記分析手段は鏡である請求項５２に記載の方法。
【請求項５６】
前記分析手段は歯の画像を表示するパッケージである請求項５２に記載の方法。
【請求項５７】
前記分析手段はカメラである請求項５２に記載の方法。
【請求項５８】
複数の歯を有するユーザの口腔内に装着される歯科器具であって、
第一の歯は犬歯であり、
前記ユーザによって装着された際に該ユーザの前記歯と接触する咬合面を有し、該咬合面に前記犬歯を収容する第１の領域が設けられている略Ｕ字形状の基部と、
前記咬合面の前記第１の領域に設けられた切縁と、を備え、
該切縁は前記咬合面に対して外側に傾いており、前記犬歯に接触して該犬歯を動かし、前記口腔内における不正咬合を防止するようになっていることを特徴とする歯科器具。
【請求項５９】
前記Ｕ字形状の基部に取り付けられ、咬合面を有する第２の基部をさらに備える請求項５８に記載の歯科器具。
【請求項６０】
犬歯ではない第２のタイプの歯を収容する形状の１以上のソケットをさらに備える請求項５８に記載の歯科器具。
【請求項６１】
前記基部内に埋め込まれたワイヤをさらに備える請求項５８に記載の歯科器具。
【請求項６２】
前記咬合面は、犬歯ではない第２のタイプの歯を収容する形状の第２の領域を有する請求項５８に記載の歯科器具。
【請求項６３】
１以上のタイプの歯を有するユーザの口腔内に装着される歯科器具であって、
前記ユーザの前記歯と接触する平坦な咬合面を有する略Ｕ字形状の基部と、
前記咬合面から延伸し、内部表面を画定する第１の壁部と、
前記咬合面から延伸し、外部表面を画定する第２の壁部と、
前記基部上に形成され、前記第１の壁部と前記第２の壁部との間に位置し、第１の部分と、第２の部分と、第３の部分と、第４の部分とを有するスロットと、を備え、
前記スロットが前記咬合面の幅を画定し、該幅は、前記ユーザの切歯タイプの歯に接触する前記基部の前記第１の部分から臼歯タイプの歯と接触する第４の部分まで連続的に増加し、前記第２の部分と前記第３の部分は前記切歯タイプの歯と前記臼歯タイプの歯の間に位置する歯と接触することを特徴とする歯科器具。
【請求項６４】
前記内部表面内に形成され、前記ユーザの前記口腔内の後方まで延伸する舌タブをさらに備える請求項６３に記載の歯科器具。
【請求項６５】
前記基部は、水分吸収材料から構成される請求項６３に記載の歯科器具。
【請求項６６】
前記基部は、第１の材料と第２の材料から構成され、該第１の材料が該第２の材料よりも柔らかい請求項６３に記載の歯科器具。
【請求項６７】
前記基部に形成された吸盤をさらに備える請求項６３に記載の歯科器具。
【請求項６８】
１以上のタイプの歯を有するユーザの口腔内に装着される歯科器具であって、
前記歯と接触する平坦な咬合面を有する予め形成された略Ｕ字形状の基部と、
前記咬合面に形成され、前記ユーザの前記歯の少なくとも一つを収容する形状のソケットと、を備えることを特徴とする歯科器具。
【請求項６９】
前記ソケットは、前記ユーザの２以上の歯を収容する大きさを有する請求項６８に記載の歯科器具。
【請求項７０】
前記ソケットは、前記ユーザの前記歯の少なくとも一つを収容するようにカスタマイズされる請求項６８に記載の歯科器具。
【請求項７１】
前記基部から延伸し、前記基部が装着された際に前記口腔内の後方まで延伸する舌タブをさらに備える請求項６８に記載の歯科器具。
【請求項７２】
前記基部内に埋め込まれたワイヤをさらに備える請求項６８に記載の歯科器具。
【請求項７３】
前記基部上に、前記基部と前記ユーザの前記歯とを密着させるライナをさらに備える請求項６８に記載の歯科器具。
【請求項７４】
歯を有するユーザの口腔内に装着される歯科器具であって、
略Ｕ字形状の基部と、
前記基部内に設けられ、そのうちの一つが前記ユーザの前記歯の少なくとも一つを収容する複数のソケットと、
前記複数のソケットの一つに設けられ、前記基部が口腔内に装着された際に、前記口腔と接触して前記基部が移動するのを防止するライナと、を備えることを特徴とする歯科器具。
【請求項７５】
前記ソケットの一つは、前記ユーザの前記歯の少なくとも一つを収容するようにカスタマイズされている請求項７４に記載の歯科器具。
【請求項７６】
前記基部は予め形成されたものである請求項７４に記載の歯科器具。
【請求項７７】
前記基部に形成され、前記ユーザの前記歯と接触するウェッジをさらに備える請求項７４に記載の歯科器具。
【請求項７８】
前記ソケットの一つは平坦である請求項７４に記載の歯科器具。
【請求項７９】
１以上のタイプの歯を有するユーザの口腔内に装着される歯科器具であって、
前記歯と接触する平坦な咬合面を有する略Ｕ字形状の基部と、
前記咬合面に設けられ、前記ユーザの１以上の前記歯を収容する形状のソケットと、
前記咬合面上に設けられ、１以上の前記歯に接触し、前記ユーザの１以上の歯をガイドするリブと、を備えることを特徴とする歯科器具。
【請求項８０】
前記基部は予め形成されたものである請求項７９に記載の歯科器具。
【請求項８１】
前記ソケットは前記ユーザの１以上の歯を収容するようにカスタマイズされている請求項７９に記載の歯科器具。
【請求項８２】
前記基部から延伸し、前記基部が装着された際に、前記口腔内の後方まで延伸する舌タブをさらに備える請求項７９に記載の歯科器具。
【請求項８３】
前記基部内に埋め込まれたワイヤをさらに備える請求項７９に記載の歯科器具。
【請求項８４】
前記基部上に、前記基部と前記ユーザの前記歯とを密着させるライナをさらに備える請求項７９に記載の歯科器具。
【請求項８５】
１以上のタイプの歯を有するユーザの口腔内に装着される歯科器具であって、
前記歯と接触する平坦な咬合面を有し、予め形成され、コンピュータによって設計された略Ｕ字形状の基部と、
前記基部内に設けられ、そのうちの一つが前記ユーザの前記歯の少なくとも一つを収容する複数のソケットと、を備えることを特徴とする歯科器具。
【請求項８６】
前記基部はコンピュータプログラムに基づいて成形される請求項８５に記載の歯科器具。
【請求項８７】
前記基部は、真空装置、圧縮装置またはステレオリソグラフィによって成形される請求項８５に記載の歯科器具。
【手続補正２】
【補正対象書類名】明細書
【補正対象項目名】００１０
【補正方法】変更
【補正の内容】
【００１０】
上記目的を達成するために、本発明の一実施形態では、歯科器具は、１以上のタイプの歯を有するユーザの口腔内に装着される。前記歯科器具は、前記歯と接触する平坦な咬合面を有し、予め形成された略Ｕ字形状の基部を有する。また、前記歯科器具は、前記咬合面から延伸し、内部表面を画定する第１の壁部と、前記咬合面から延伸し、外部表面を画定する第２の壁部と、前記基部上に設けられ、前記第１の壁部と前記第２の壁部との間に位置し、前記基部の第１の部分から第２の部分まで延伸するスロットと、を備え、前記スロットが前記咬合面の幅を画定し、該幅は、前記基部が前記口腔内の前部と接触する前記基部の前記第１の部分から前記口腔内でさらに後方に延伸する前記第２の部分まで広がるよう構成され、前記第２の部分は前記ユーザの犬歯タイプの歯を収容する。
【手続補正３】
【補正対象書類名】明細書
【補正対象項目名】００１１
【補正方法】変更
【補正の内容】
【００１１】
一実施形態では、前記第１の部分は、切歯タイプの歯に接触する。
【手続補正４】
【補正対象書類名】明細書
【補正対象項目名】００１２
【補正方法】変更
【補正の内容】
【００１２】
一実施形態では、前記第２の部分は、犬歯タイプの歯に接触する。
【手続補正５】
【補正対象書類名】明細書
【補正対象項目名】００１６
【補正方法】変更
【補正の内容】
【００１６】
一実施形態では、前記歯科器具は、前記基部に形成された吸盤をさらに備える。
【手続補正６】
【補正対象書類名】明細書
【補正対象項目名】００１７
【補正方法】変更
【補正の内容】
【００１７】
本発明のもう一つの実施形態では、歯科器具は、犬歯を含む１以上のタイプの歯を有するユーザの口腔内に装着される。前記歯科器具は、装着時に前記歯に接触する咬合面を有する略Ｕ字形状の基部を有する。また、前記歯科器具は、前記咬合面内に形成され、それぞれが犬歯に向けて延伸し、前記犬歯に接触することにより前記犬歯を動かして、前記口腔内の不正咬合を防止する頂部を形成するウェッジを有する。
【手続補正７】
【補正対象書類名】明細書
【補正対象項目名】００１９
【補正方法】変更
【補正の内容】
【００１９】
一実施形態では、前記歯科器具は、犬歯ではない第２のタイプの歯を収容するように形成された１以上のソケットをさらに備える。
【手続補正８】
【補正対象書類名】明細書
【補正対象項目名】００２３
【補正方法】変更
【補正の内容】
【００２３】
本発明の別の実施形態では、歯科器具は、複数の歯を有するユーザの口腔内に装着される。前記歯科器具は、略Ｕ字形状の基部を有する。また、前記歯科器具は、前記基部内に設けられる少なくとも一つが予め形成された複数のソケットを有する。さらに、前記歯科器具は、前記口腔に接触し、前記基部が前記口腔内に装着された際に、前記基部の移動を防止するよう前記口腔に密着する凹面を有し、前記基部から延伸する吸盤を有する。
【手続補正９】
【補正対象書類名】明細書
【補正対象項目名】００２５
【補正方法】変更
【補正の内容】
【００２５】
一実施形態では、前記複数のソケットは予め形成されたものである。
【手続補正１０】
【補正対象書類名】明細書
【補正対象項目名】００２６
【補正方法】変更
【補正の内容】
【００２６】
一実施形態では、前記複数のソケットはカスタマイズされている。